(57)【要約】【課題】本発明は各集配センターに在る荷物集約ワゴンの数が全体を統括する統括部署で常時掌握調節することができるワゴン管理システムを提供するにある。【解決手段】配送トラック２から下ろした下ろし荷物集約ワゴン３の数と積み込んだ積み込み荷物集約ワゴン３の数のからなるワゴン積み下ろし情報４を入力し、この入力されたワゴン積み下ろし情報４と積み下ろし集配センター情報５とからなる積み下ろし情報１１を送信するデータ送信手段６と、このデータ送信手段６から送信された積み下ろし情報１１により登録されている積み下ろし集配センター７の荷物集約ワゴン数を演算して、集配センター７の荷物集約ワゴン数８を管理する統括コンピューター９とでワゴン管理システム１を構成している。【選択図】　図１
2004123300.tif 000002
【特許請求の範囲】
【請求項１】
届け集配センターが特定され且つ該届け集配センターの守備範囲域内を配達先とする荷物を集約搭載して配送トラックに搭載されて前記届け集配センターに配送される荷物集約ワゴンを管理するワゴン管理システムであって、前記配送トラックから届け集配センターに下ろすあるいは下ろした下ろし荷物集約ワゴンの数と該届け集配センターで該配送トラックに積み込むあるいは積み込んだ積み込み荷物集約ワゴンの数およびその差あるいはいずれか一方の数からなるワゴン積み下ろし情報、このワゴン積み下ろし情報が手動入力や読取入力され且つ該ワゴン積み下ろし情報および積み下ろし集配センター情報を送信するデータ送信手段と、このデータ送信手段から送信された前記ワゴン積み下ろし情報を受信しこのワゴン積み下ろし情報と前記積み下ろし集配センター情報とにより登録されている該積み下ろし集配センターの荷物集約ワゴン数を演算して、集配センター毎の荷物集約ワゴン数を管理する統括コンピューターとからなることを特徴とするワゴン管理システム。
【請求項２】
届け集配センターが特定され且つ該届け集配センターの守備範囲域内を配達先とする荷物を集約搭載して配送トラックに搭載されて前記届け集配センターに配送される荷物集約ワゴンを管理するワゴン管理システムであって、個々のワゴンを識別するためのワゴンコードを設けた荷物集約ワゴンと、この荷物集約ワゴンを配送する配送トラックでの積み下ろす荷物集約ワゴンの前記ワゴンコードを読取り記憶するコード読取り手段と、このコード読取り手段により読取られたワゴンコード情報および荷物集約ワゴンを積み下ろした積み下ろし集配センター情報を送信する送信手段と、この送信手段により送信された前記ワゴンコード情報および前記積み下ろし集配センター情報を受信し、この受信したワゴンコード情報および積み下ろし集配センター情報に基づいて、ワゴンコードを各集配センター毎に管理するワゴンコード管理部のワゴンコード登録データを更新して集配センター毎のワゴンコードを管理する統括コンピューターとからなることを特徴とするワゴン管理システム。
【請求項３】
ワゴンコードが荷物集約ワゴンの配送トラックでの積み下ろし時に自動的に読取るようにしたコード自動読取り手段とし、このコード自動読取り手段により読取られたワゴンコード情報が自動的に送信手段に送られるとともに該送信手段により統括コンピューターに自動的に送信されるようにしてなることを特徴とする請求項２記載のワゴン管理システム。
【請求項４】
ワゴンコードが積み込み積み下ろしの識別無く読取り手段により読取られ、積み込み積み下ろしの識別のないワゴンコード情報が統括コンピューターに送信され、該統括コンピューターにおいて集配センターの登録ワゴンコード情報と前記ワゴンコード情報を照合して、積み下ろしワゴンコードか積み込みワゴンコードかを判定して処理するようにしてなることを特徴とする請求項２、３いずれか記載のワゴン管理システム。
【請求項５】
積み下ろし積み込み時の日情報がワゴンコード情報に付与され、前記日情報により集配センターにおけるワゴンの滞在期間が管理されるようにしてなることを特徴とする請求項２、３、４いずれか記載のワゴン管理システム。
【請求項６】
各集配センターのストックしておくことが許容れる許容ストックワゴン数が統括コンピューターに登録され、この統括コンピューターにおいて各集配センターに在るワゴン数と前記ストック許容ストックワゴン数とが比較されるとともにワゴン数が多い集配センターにワゴン数が少ない集配センターにワゴンを配送する指示が自動的に行なわれるようにしてなることを特徴とする請求項１、２、３、４、５いずれか記載のワゴン管理システム。
【請求項７】
集配センターに集配センター管理コンピューターが配置され、この集配センター管理コンピューターにワゴンコード情報を含む積み下ろしワゴン情報が記憶されて前記集配センターにあるワゴン数およびワゴンコードが前記集配センター管理コンピューターにより管理されるとともに、前記積み下ろしワゴン情報が前記集配センター管理コンピューターから統括コンピューターに送信されるようにしてなることを特徴とする請求項１、２、３、４、５、６いずれか記載のワゴン管理システム。
【請求項８】
コード読取り手段および送信手段が配送トラックに設けられ、この配送トラック情報も送信されるようにしてなることを特徴とする請求項２、３、４、５、６、７いずれか記載のワゴン管理システム。
【発明の詳細な説明】
【０００１】
【発明の属する技術分野】
本発明は主に荷物宅配流通システムにおいて、届け集配センターが特定され且つ該届け集配センターの守備範囲域内を配達先とする荷物を集約搭載して配送トラックに搭載されて前記届け集配センターに配送される荷物集約ワゴンを管理するワゴン管理システムに関する。
【０００２】
【従来技術】
従来、荷物集約ワゴンの管理はそれぞれの集配センターが個々に行い、全体を統括する部署は各集配センターからのワゴン支給要望により、各集配センターの荷物集約ワゴンの数を確認し、あまっているワゴンを探して支給要望のあった集配センターに配送するよう指示するというものであった。
【０００３】
【発明が解決しようとする課題】
上述した従来技術にあっては、それぞれの集配センターが必要数より多めに荷物集約ワゴンを確保しておこうとするために、十分なワゴンが在るにもかかわらずワゴンが足りなくなる集配センターが発生し、その足りない集配センターへのワゴンの追加のために多大な労力を費やさなければならないという欠点があった。
また、不明なワゴンの発生が少なくなく、悪質な従業員による他の業者に売り飛ばすなどの行為を防止し難いという欠点があった。
【０００４】
本発明は以上のような従来の欠点に鑑み、各集配センターに在る荷物集約ワゴンの数が全体を統括する統括部署で常時掌握調節することができるワゴン管理システムを提供することを目的としている。
【０００５】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【０００６】
【課題を解決するための手段】
上記目的を達成するために、本発明は届け集配センターが特定され且つ該届け集配センターの守備範囲域内を配達先とする荷物を集約搭載して配送トラックに搭載されて前記届け集配センターに配送される荷物集約ワゴンを管理するワゴン管理システムであって、前記配送トラックから届け集配センターに下ろすあるいは下ろした下ろし荷物集約ワゴンの数と該届け集配センターで該配送トラックに積み込むあるいは積み込んだ積み込み荷物集約ワゴン数およびその差あるいはいずれか一方の数からなるワゴン積み下ろし情報、このワゴン積み下ろし情報が手動入力や読取入力され且つ該ワゴン積み下ろし情報および積み下ろし集配センター情報を送信するデータ送信手段と、このデータ送信手段から送信された前記ワゴン積み下ろし情報を受信しこのワゴン積み下ろし情報と前記積み下ろし集配センター情報とにより登録されている該積み下ろし集配センターの荷物集約ワゴン数を演算して、集配センター毎の荷物集約ワゴン数を管理する統括コンピューターとでワゴン管理システムを構成している。
【０００７】
【発明の実施の形態】
以下、図面に示す実施の形態により、本発明を詳細に説明する。
【０００８】
図１および図２に示す本発明の実施の形態において１はワゴン管理システムであり、このワゴン管理システム１は届け集配センターが特定され且つ該届け集配センターの守備範囲地域内を配達先とする荷物を集約搭載して配送トラックに搭載されて前記届け集配センターに配送される荷物集約ワゴンを管理するワゴン管理システムであって、配送トラック２から届け集配センターに下ろすあるいは下ろした下ろし荷物集約ワゴン３の数と届け集配センターで配送トラック２に積み込むあるいは積み込んだ積み込み荷物集約ワゴン３（以下「ワゴン」という。）の数からなるワゴン積み下ろし情報４を配送トラック２の運転手が手動により入力し、この入力されたワゴン積み下ろし情報４と積み下ろし集配センター情報５とからなる積み下ろし情報１１を記憶するとともに送信する集配センターコンピューターからなるデータ送信手段６と、このデータ送信手段６から送信された積み下ろし情報１１を受信し、この積み下ろし情報１１により登録されている該積み下ろし集配センター７の荷物集約ワゴン数を演算して、集配センター７の荷物集約ワゴン数８を管理する統括コンピューター９とからなっている。
【０００９】
統括コンピューター９のデータベース部１０では、集配センター、集配センターの許容ワゴン数、集配センターの在庫ワゴン数、許容ワゴン数に対する在庫ワゴンの過剰数、不足数が管理され、受信したワゴン積み下ろし情報に基づいて常に更新される。
さらに、許容数より著しく過剰な集配センターに対して許容数より不足していたり不足しそうな集配センターに向けて空のワゴンを配送するよう自動的に指示が行われ、場合によっては管理者による指示が行われ、指示を受けた集配センターからは空ワゴン配送実行数が連絡されるようになっている。同時に、ワゴンが不足している集配センターに対しては空ワゴンの配送予定および配送進行状況が自動的に連絡されるようになっている。
このようにすることにより、荷物集約ワゴンが不足している集配センターにおいては、ワゴンを確保するための労力が必要なくなる。
【００１０】
【発明の異なる実施の形態】
次に、図３ないし図８に示す本発明の異なる実施の形態につき説明する。
なお、これらの発明の異なる実施の形態の説明に当たって、前記本発明の第１の実施の形態と同一構成部分には同一符号を付して重複する説明を省略する。
【００１１】
図３に示す本発明の第２の実施の形態において、前記本発明の実施の形態と主に異なる点は、ワゴン管理システムを、集配センター７に配送トラック２からの荷物集約ワゴン３の積み込みと積み下ろしを自動的に検出するワゴン積み下ろし検出手段１２を設け、このワゴン積み下ろし検出手段１２の検出結果が自動的にデータ送信手段６に送信され記憶される構成を加えたワゴン管理システム１３とした点にある。
ワゴン積み下ろし検出手段とその積み下ろし判定は、テレビカメラによる画像を単に送信して積み下ろしの判定は集約センターコンピューター側で行うあるいはワゴン検出手段側に積み下ろし判定手段を設ける、レーザーセンサーによるものなど多様な形態があることはいうまでもない。
【００１２】
図４ないし図６に示す本発明の第３の実施の形態において、前記本発明の実施の形態と主に異なる点は、ワゴン管理システムを、荷物集約ワゴン１５に設けた該１５を識別するバーコードからなるワゴンコード１６ａを読み取る第１のコード読み取り手段１７と、同じ荷物集約ワゴン１５に設けたマイクロ波を受信すると発電する発電部を有するとともに該発電によりワゴンコード１６ａと同じコードであるワゴンコード１６ｂを電波で発信するワゴンコード発信手段１８からの該１６ｂを受信して読み取る第２のコード読み取り手段１９を設け、ワゴンコード１６ａ、１６ｂを照合したワゴンコード１６からなるワゴンコード情報と積み下ろし集配センター情報とからなる積み下ろし情報２２が統括コンピューター９に送信され、統括コンピューター９においてワゴンコード１６による個々の荷物集約ワゴンが管理されるようにしてなるワゴン管理システム２０とした点にある。
【００１３】
統括コンピューター９においては、ワゴンコード１６が集配センター毎に記憶部２３に記憶され、集配センターワゴンコード登録部２４の登録データと照合部２５で照合される。ここでは、集配センターワゴンコード登録部２４に登録されていないワゴンコード１６は該２４に追加され、集配センターワゴンコード登録部２４に登録されているワゴンコード１６は該２４から削除され搬送中ワゴン登録部２６に登録され、集配センターワゴンコード登録部２４に追加登録され搬送中ワゴン登録部２６に登録されているワゴンコード１６は該２５から削除されるというように絶えず更新されるようになっている。
集配センターワゴンコード登録部２４に登録されており、照合段階で積み下ろし情報にワゴンコードが奇数ある場合は削除され、偶数ある場合は無視されてデータの更新はされない。
ワゴンコードには集配センターにおいて積みおろしされたときの日時が付与される。
許容ストック数登録部２７には集配センター毎の荷物集約ワゴンの許容ワゴン数が、これまでのデータを元にある程度の期間ごとに分けて登録されており、許容ストック数登録部２７と集配センターワゴンコード登録部２４と絶えず照合され、ワゴン数が少ない集配センタに向けてワゴン数の過剰な集配センターから空のワゴンを配送するよう指示が自動的に行われるようになっている。
【００１４】
図７に示す本発明の第４の実施の形態において、前記本発明の実施の形態と主に異なる点は、ワゴン管理システムを、集配センター７に設けたワゴンコード読み取り手段３０により荷物集約ワゴン３１に設けたバーコードや記号などからなるワゴンコード３２を配送トラックの運転手により読み取り操作が行われるようにした、ワゴン管理システム３３とした点にある。
ワゴンコード読み取り手段３０は、積み込みワゴンのワゴンコードを読み取り記憶させる積み込み読み取り手段３４と、積み下ろしワゴンのワゴンコードを読み取り記憶させる積み下ろし読み取り手段３５と、該３４、３５をセットすることにより記憶されたワゴンコードを自動的に読み取りデータ送信手段６に送信し、送信後に消却するセット読み取り送信手段３６が設けられ、積み込み読み取り手段３４と積み下ろし読み取り手段３５はその形状を異にして、セット読み取り送信手段３６の所定の装着部にセットされるようになっている。
【００１５】
図８に示す本発明の第５の実施の形態において、前記本発明の実施の形態と主に異なる点は、ワゴン管理システムを、荷物集約ワゴン１５に設けた該１５を識別する荷物集約ワゴン１５に設けたマイクロ波を受信すると発電する発電部を有するとともに該発電によりワゴンコード１６ａと同じコードであるワゴンコード１６ｂを電波で発信するワゴンコード発信手段１８からの該１６ｂを受信して読み取る第２のコード読み取り手段１９を設け、この第２のコード読み取り手段１９を配送トラック２の荷台に設置して、ワゴンの積み込み積み下ろし終了後に運転手の操作部３８の操作により、読み取り統括コンピューター９への積み下ろし情報の自動送信を操作部３８に内蔵あるいは連絡したデータ送信手段により行うようにした構成のワゴン管理システム３９とした点にある。
【００１６】
【発明の効果】
以上の説明から明らかなように、本発明にあっては次に列挙する効果が得られる。
【００１７】
（１）集配センターごとに設けられたあるいは配送トラックごとに設けられたデータ送信手段から送信されるワゴン積み下ろし情報および積み下ろし集配センター情報を統括コンピューターで受信し一括して管理するものであるので、集配センターごとに在る荷物集約ワゴン数を絶えず統括部署で管理・監視することできるので、多く集まっている集配セッターに少ない集配センターに集約ワゴンを配送するよう指示するなどの適切で素早いワゴンの配置手配を可能とする効果を得ることができる。
また、ワゴンが統括管理されていることにより、不届きなワゴンの転売など行い難い状況を形成するという効果を得ることができる。
【００１８】
（２）請求項２記載の発明は前記（１）と同様な効果を得ることができるとともに、集配センターごとに在るワゴンコードを統括コンピューターで管理するので、荷物集約ワゴンの在り所と移動を監視することができるので、よりきめ細かいワゴンの配置・配送指示およびメンテナンスや廃棄のための回収指示等が行えるという効果を得ることができる。
また、集配センターに置かれているワゴンコードを報告させることにより、行方不明ワゴンを早期に発見することができ、不明になった原因に対する対応を適切に行えるという効果を得ることができる。
【００１９】
（３）請求項３記載の発明は前記（１）、（２）と同様な効果が得られるとともに、積み下ろし時にワゴンコードが自動的に読み取られるとともに自動的に統括コンピューターに送信されるシステムであるので、配送トラックの運転手や配送センター職員の仕事量を増やさず且つ人為的なミスなしにワゴンコードの管理・監視が行えるという効果を得ることができる。
【００２０】
（４）請求項４記載の発明は前記（２）、（３）と同様な効果が得られるとともに、ワゴンコードが積み込み積み下ろしの識別無く読取り手段により読取られ、統括コンピューターにおいて集配センターの登録ワゴンコード情報と前記ワゴンコード情報を照合して、積み下ろしワゴンコードか積み込みワゴンコードかを判定して処理するようにしてなるものであるので、コード読み取り手段の構成が簡単であり、統括コンピューター側でワゴンの出入りを判定するものであるので、多数配置されているコード読み取り手段の故障などによる積み下ろし判定ミスによる混乱を起こさないシステムを形成するという効果をそうする。
【００２１】
（５）請求項５記載の発明は前記（２）ないし（４）と同様な効果が得られるとともに、積み下ろし積み込み時の日時情報がワゴンコードに付与されるようにしてなるものであるので、荷物集約ワゴン個々の集配センターへの滞在期間を監視することや、積み込みされたが積み下ろしされないワゴンなど不信な状況を早期に摘出できるという効果をそうする。
【００２２】
（６）請求項６記載の発明は前記（２）ないし（５）と同様な効果が得られるとともに、各集配センターのストックしておくことが許容される許容ストックワゴン数が統括コンピューターに登録され、各集配センターに在るワゴン数と比較されるようにしてなるものであるので、許容ストックワゴン数に対して著しく多い集配センターと不足するであろう集配センターを統括コンピューターで予測して知らせることが可能となり、多い集配センターへの荷物集約ワゴンの排出指示と、少ない集配センターへの空ワゴンの届け手配状況を知らせるなどのことの多くを、自動的に行うことができる便利なシステムを形成できるという効果を得ることができる。
【００２３】
（７）請求項７記載の発明は前記（２）ないし（６）と同様な効果が得られるとともに、集配センター管理コンピューターにも積み下ろしワゴン情報とそれに基づくワゴンコードが管理され、且つ、その情報が統括コンピューターに送信されるので、統括コンピューターでより正確な管理ができるとともに、いずれか側にデータの消失などがおきても安全なシステムを形成できるという効果を得ることができる。
【００２４】
（８）請求項８記載の発明は前記（２）ないし（７）と同様な効果が得られるとともに、配送トラックの側にコード読取り手段および送信手段を設け配送トラック情報も送信されるようにしてなるものであるので、集配センター情報とともに配送トラックの荷物集配ワゴン積載状況を監視することができるという効果を得ることができる。
【図面の簡単な説明】
【図１】本発明の第１の実施の形態を示すシステム図。
【図２】本発明の第１の実施の形態のデータベース部の構造図。
【図３】本発明の第２の実施の形態のシステム図。
【図４】本発明の第３の実施の形態のシステム図。
【図５】本発明の第３の実施の形態のブロック図。
【図６】本発明の第３の実施の形態のデータ処理のブロック図。
【図７】本発明の第４の実施の形態のシステム図。
【図８】本発明の第５の実施の形態のシステム図。
【符号の説明】
１：ワゴン管理システム、　　　　２：配送トラック、
３：荷物集約ワゴン、　　　　　　４：ワゴン積み下ろし情報、
５：積み下ろし集配センター情報、６：データ送信手段、
７：集配センター、　　　　　　　８：荷物集約ワゴン数、
９：統括コンピューター、　　　　１０：データベース部、
１１：積み下ろし情報、　　　　　１２：ワゴン積み下ろし検出手段、
１３：ワゴン管理システム、　　　１４：空ワゴン調節部、
１５：荷物集約ワゴン、
１６、１６ａ、１６ｂ：ワゴンコード、
１７：第１のコード読み取り手段、１８：ワゴンコード発信手段、
１９：第２のコード読み取り手段、２０：ワゴン管理システム、
２１：マイクロ波発信手段、　　　２２：積み下ろし情報、
２３：記憶部、
２４：集配センターワゴンコード登録部、
２５：照合部、　　　　　　　　　２６：搬送中ワゴン登録部、
２７：許容ストック数登録部、　　３０：ワゴンコード読み取り手段、
３１：荷物集約ワゴン、　　　　　３２：ワゴンコード、
３３：ワゴン管理システム、　　　３４：積み込み読み取り手段、
３５：積み下ろし読み取り手段、　３６：セット読み取り送信手段、
３８：操作部、　　　　　　　　　３９：ワゴン管理システム。
【図１】
2004123300.tif 000003
【図２】
2004123300.tif 000004
【図３】
2004123300.tif 000005
【図４】
2004123300.tif 000006
【図５】
2004123300.tif 000007
【図６】
2004123300.tif 000008
【図７】
2004123300.tif 000009
【図８】
2004123300.tif 000010